(57)【特許請求の範囲】
【請求項１】
クラウン、ソール、ホーゼル、キャビティ、前面開口及び内部重りとしての突出部を有する金属製本体と；
打撃面及び返り部を有する金属製フェース要素を有するウッドタイプゴルフクラブヘッドであって、
前記フェース要素は前記前面開口を覆い、
前記打撃面と前記返り部はフェース要素キャビティを形成し、
前記突出部は、リップ状の形態をなし、前記前面開口の近傍の前記キャビティ内に位置し、前記ソールから上方に向けて、前記打撃面に接触しない状態で前記フェース要素キャビティ内に延びており、
前記ゴルフクラブヘッドは１８０ｇ〜２１５ｇの範囲の質量を持ち、
前記ゴルフクラブヘッドは１２０ｃｍ３〜４７０ｃｍ３の範囲の体積を持つ、
ウッドタイプゴルフクラブヘッド。
【請求項２】
前記突出部は空洞部を備えていない、請求項１に記載のウッドタイプゴルフクラブヘッド。
【請求項３】
前記ゴルフクラブヘッドはフェアウエイウッドタイプゴルフクラブヘッドである、請求項１に記載のウッドタイプゴルフクラブヘッド。
【請求項４】
前記金属の材料は、チタン合金及びステンレススチールから成る群から選択される、請求項１に記載のウッドタイプゴルフクラブヘッド。
【請求項５】
前記本体は鍛造により製造される、請求項１に記載のウッドタイプゴルフクラブヘッド。
【請求項６】
前記本体は鋳造により製造される、請求項１に記載のウッドタイプゴルフクラブヘッド。
【請求項７】
前記打撃面は異なる厚み部分を有する、請求項１に記載のウッドタイプゴルフクラブヘッド。
【請求項８】
前記打撃面は一定の厚みを有する、請求項１に記載のウッドタイプゴルフクラブヘッド。
【請求項９】
前記フェース要素は鍛造により製造される、請求項１に記載のウッドタイプゴルフクラブヘッド。
【請求項１０】
前記フェース要素は鋳造により製造される、請求項１に記載のウッドタイプゴルフクラブヘッド。
【請求項１１】
前記本体と前記フェース要素は一体に鋳造により製造される、請求項１に記載のウッドタイプゴルフクラブヘッド。
【請求項１２】
クラウン、ソール、キャビティ及び内部重りとしての突出部を有する金属製本体と；打撃面及び返り部を有する金属製フェース要素を有するフェアウエイウッドタイププゴルフクラブヘッドであって、
前記打撃面及び前記返り部がフェース要素キャビティを形成し、
前記突出部は、リップ状の形態をなし、前記キャビティ内に位置し、前記打撃面に接触しない状態で前記フェース要素キャビティ内に延び、
前記本体は鋳造により一体的に製造され、
前記フェース要素は鍛造により一体的に製造され、
前記フェース要素は前記本体に溶接される、
フェアウエイウッドタイプゴルフクラブヘッド。
【請求項１３】
前記突出部は、前記本体の質量の少なくとも２０％の質量を有する、請求項１２に記載のフェアウエイウッドタイプゴルフクラブヘッド。
【請求項１４】
前記突出部は、前記本体の質量の略３０％の質量を有する、請求項１２に記載のフェアウエイウッドタイプゴルフクラブヘッド  。
【請求項１５】
前記突出部は前記ソールから延びている、請求項１２に記載のフェアウエイウッドタイプゴルフクラブヘッド。
【請求項１６】
前記ゴルフクラブヘッドは、１８０ｇ〜２１５ｇの範囲の質量を持つ、請求項１２に記載のフェアウエイウッドタイプゴルフクラブヘッド。
【請求項１７】
前記ゴルフクラブヘッドは、１２０ｃｍ３〜３００ｃｍ３の範囲の体積を持つ、請求項１２に記載のフェアウエイウッドタイプゴルフクラブヘッド。
【請求項１８】
クラウン、ソール、キャビティ、ホーゼル及び内部重りとしての突出部を有するステンレススチール製本体と；
打撃面及び返り部を有するステンレススチール製フェース要素を有するフェアウエイウッドタイプゴルフクラブヘッドであって、
前記打撃面と前記返り部はフェース要素キャビティを形成し、
前記突出部は、リップ状の形態をなし、前記キャビティ内に位置し、前記打撃面に接触しない状態で前記ソールから前記フェース要素キャビティ内に上方に向けて延び、
前記本体は一体的に鋳造により製造され、
前記フェース要素は一体的に鍛造により製造され、
前記ゴルフクラブヘッドは、１８０ｇ〜２１５ｇの範囲の質量を持つ、フェアウエイウッドタイプゴルフクラブヘッド。
【請求項１９】
前記フェース要素は前記本体に溶接される、請求項１８に記載のフェアウエイウッドタイプゴルフクラブヘッド。
【請求項２０】
前記ソールに固定される重りパッドを更に有する、請求項１８に記載の、フェアウエイウッドタイプゴルフクラブヘッド。
【発明の詳細な説明】
【技術分野】
【０００１】
本発明は、ゴルフクラブヘッドの重心をフェースとソールに近接した位置にする内部重りを持つゴルフクラブヘッドに関する。
【背景技術】
【０００２】
ゴルファーは、時として、プレー中にゴルフボールのコントロールをより行いやすくする、フェースに近く低い重心を持つゴルフクラブを使用することを好む。
【発明の概要】
【発明が解決しようとする課題】
【０００３】
改良された内部の重りを持つゴルフクラブヘッドに対する要請が存在している。
【課題を解決するための手段】
【０００４】
本発明の１つの態様は、クラウン、ソール、キャビティ及び突出部を持つ本体とフェース要素を有するゴルフクラブヘッドであって、前記突出部は前記キャビティ内にあって、前記ソールから前記フェース要素に向けて延びている。ゴルフクラブヘッドは、ウッドタイプヘッド、ハイブリッドタイプヘッド、及びある実施態様におけるフェアウエイウッドヘッドの群から選択される。
【０００５】
ヘッドの本体は、チタン合金、又はステンレススチールを鋳造又は鍛造により製造される。ある実施例においては、フェース要素は、打撃面と返り部を有している。フェース要素は、チタン合金、又はステンレススチールを鍛造により製造される。ある実施例においては、本体とフェース要素は一体に形成される。
【０００６】
本発明の他の態様は、クラウン、ソール、ホーゼル、キャビティ、前面開口及び突出部を持つ金属製本体と、打撃面及び返り部を有するフェース要素を有するウッドタイプゴルフクラブヘッドであって、前記打撃面及び前記返り部は。フェース要素キャビティを形成し、前記フェース要素は、前記前面開口を覆い、前記突出部は前記前面開口に隣接するキャビティ内に位置し、前記打撃面に接触することなく、前記ソールから前記フェース要素キャビティ内に上方に向けて延び、前記ゴルフクラブヘッドは、１８０ｇ〜２１５ｇの範囲の質量を持ち、前記ゴルフクラブヘッドは、１２０ｃｍ３〜４７０ｃｍ３の範囲の体積を持つ。ある実施例においては、前記突出部は、空洞部を持つことができ、また、他の実施例においては、前記突出部は固体で空洞部を持たないようにすることもできる。
【０００７】
本発明の更なる他の態様は、クラウン、ソール、キャビティ及び突出部を持つ金属本体と、打撃面及び返り部を持つ金属フェース要素を有するゴルフクラブヘッドであって、前記打撃面及び返り部はフェース要素キャビティを形成し、前記突出部は、前記キャビティ内に位置し、前記打撃面に接触することなく、前記フェース要素キャビティ内に延び、前記本体は一体的に鋳造により成形され、前記フェース要素は一体的に鍛造により成形される。突出部は少なくとも本体の質量の２０％の質量を有し、ある実施例においては、本体の質量の約３０％の質量を持つようにすることができる。ある実施例においては、突出部はソールから延びるようにしてもよい。ゴルフクラブヘッドは１８０ｇ〜２１５ｇの範囲の質量を持ち、１２０ｃｍ３〜５００ｃｍ３の範囲の体積を持つようにすることができる。
【０００８】
本発明の他の態様は、クラウン、ソール、キャビティ、ホーゼル及び突出部を持つステンレススチール製の本体と、打撃面と返り部を持つステンレススチール製フェース要素を有するフェアウエイウッドタイプのゴルフクラブヘッドであって、前記打撃面と前記返り部はフェース要素キャビティを形成し、前記突出部は、前記キャビティ内に位置し、前記打撃面に接触することなく前記ソールから前記フェース要素キャビティ内に延び、前記本体は一体的に鋳造成形され、前記フェース要素は一体的に鍛造成形され、前記ゴルフクラブヘッドは、１８０ｇ〜２１５ｇの範囲の質量を有している。フェース要素は、既知の手段により本体に固定され、ある実施例においては、フェース要素は本体に溶接される。フェアウエイウッドタイプゴルフクラブヘッドは、更に、重りパッドを有することができ、ある実施例では、ソールに固定することができる。
【図面の簡単な説明】
【０００９】
【図１】本発明の１実施例の上方斜視図である。。
【図２】図１の実施例のフェース要素を除いた前面斜視図である。
【図３】図１の線３−３に沿った断面図である。
【発明を実施するための形態】
【００１０】
本発明は、全体的に、ゴルフクラブの重心（ＣＧ）をゴルフクラブヘッドのフェースルとソールの近くに配置した内部重りを持つゴルフクラブヘッドに向けられている。特に、本発明は、特に、フェアウエイウッドやハイブリッドの小型のゴルフクラブヘッドにおける一体的に形成された重りに向けられている。
【００１１】
本発明の好ましい実施例が図１−３に示されている。ゴルフクラブヘッド１０は、好ましい実施例においてはフェアウエイウッドであり、ソール３０，クラウン４０，ホーゼル５０、キャビティ１０及び重りリップ８０を持つ本体２０と、打撃面６２、返り部６４及びキャビティ６６を有するフェース要素６０を含んでいる。打撃面６２は好ましくは高い固有時間（ＣＴ）を持つ。フェース要素６０は好ましくは6-4チタニウム合金又はステンレススチールから鍛造で一体的に造られ、一方、本体２０は同様の合金で鋳造により一体的に造られる。他の実施例においては、フェース要素６０と本体２０が他の方法で、ゴルフクラブの製造に通常使用される材料で造られる。ある実施例においては、フェース要素６０と本体２０は一体的に形成される。本体２０は、更に、重りパッド、厚くした壁領域、取り外し可能な重り螺子（図示せず）を有するようにして、製造者やゴルファーが残部の重量を任意に調整することを可能にしている。
【００１２】
一旦、本体２０とフェース要素６０が形成されると、それらは本体２０の前面の開口２５に沿って溶接される。図３に示される溶接継ぎ目７０は、好ましくは略０．０３１inの比較的薄い一定の厚みを有する。溶接継ぎ目７０に影響を与えることなく、重心ＣＧを低く、前側にするため、重りリップ８０がキャビティ２２の内部で開口２５の近くに位置している。この構造は溶接の問題を避けることができ、しかも、任意の質量を最も低く、且つゴルフクラブヘッドの前方に位置させることを可能にしている。
【００１３】
重りリップ８０は、好ましくは本体２０内に鋳造成形されるが、他の実施例では本体２０に溶接されるか、又は機械的に固定され、ソール３０から上方に延び、本体２０の開口２５から突出している。ゴルフクラブヘッド１０が組み立てられると、重りリップ８０はフェース要素６０のキャビティ６６内に打撃面６２に接触しない状態で延びる。重りリップ８０は好ましくは少なくとも本体２０の質量の２０％の質量、より好ましくは本体の質量の３０％の質量を持つ。例えば、ゴルフクラブヘッド１０は、表１に示されるような重量分布を持つことができる。
【００１４】
【表１】
0005982555.tif 000002
【図１】
0005982555.tif 000003
【図２】
0005982555.tif 000004
【図３】
0005982555.tif 000005